(57)【要約】【課題】建屋の床面の、地面などの接地面からの高さを、小さくすることができる建屋の脚部高さ調整装置を提供する。【解決手段】建屋２を支持する脚部４０として、建屋２の床部３０に固定された固定部品３３に対してねじ部４１ｂで螺合する位置調整ボルト（ねじ部材）４１が設けられ、この位置調整ボルト４１の上面部に、位置調整ボルト４１を回転させる回転用治具４５に係合可能な係合部４１ｃが形成されている。この構成により。建屋２の内部側から回転用治具４５を係合させて回転して、位置調整ボルト４１に対する固定部品３３に対する相対的な上下位置を変更することで、高さ調整を行うことができる。【選択図】図１１
2014062423.tif 000002
【特許請求の範囲】
【請求項１】
建屋を支持する脚部として、建屋の床部に固定された固定部品または床部に対してねじ部で螺合するねじ部材が設けられ、
このねじ部材の上面部に、建屋の内部側からねじ部材を回転させる回転用治具に係合可能な係合部が形成されていることを特徴とする建屋の脚部高さ調整装置。
【請求項２】
建屋の床面に、回転用治具を挿通可能な挿通孔が形成されていることを特徴とする請求項１記載の建屋の脚部高さ調整装置。
【請求項３】
ねじ部材の上面部の内周側に回転用治具に係合可能な係合部が形成されていることを特徴とする請求項１または２に記載の建屋の脚部高さ調整装置。
【請求項４】
ねじ部材の上面部の外周側に回転用治具に係合可能な係合部が形成されていることを特徴とする請求項１または２に記載の建屋の脚部高さ調整装置。
【請求項５】
建屋が被処理米を精米処理する精米設備であることを特徴とする請求項１〜４の何れか１項に記載の建屋の脚部高さ調整装置。
【請求項６】
建屋の床面に、前記挿通孔を覆う挿通孔カバーが着脱可能に設けられていることを特徴とする請求項２記載の建屋の脚部高さ調整装置。
【請求項７】
脚部のねじ部材はねじ部と頭部とを有し、ねじ部が上方、頭部が下方に向くように配置し、
前記脚部に、建屋が設置される箇所に置かれる設置プレートと、前記ねじ部材のねじ部に固定されて設置プレートに載せられるプレート載置部とが設けられていることを特徴とする請求項１〜６の何れか１項に記載の建屋の脚部高さ調整装置。
【発明の詳細な説明】
【技術分野】
【０００１】
本発明は建屋の脚部高さ調整装置に関する。
【背景技術】
【０００２】
コイン（硬貨）や紙幣などの貨幣を投入することにより自動的に精米作業を行わせる、コイン式精米機などとも称せられる精米設備は、既に広く知られている。この精米設備は、建屋に設けられることが多く、建屋の内部が、仕切壁により、利用客が自由に行き来できる客室と、管理者や保守点検員などの限定した人しか入ることができない機械室とに仕切られている。そして、機械室内に、利用者が投入した被処理米から石などの異物を除去する石抜機や、実際に精米動作を行う精米機などが配設されており、客室に入った利用客が、玄米などの被処理米を投入した状態でコインなどの料金を支払う（投入する）ことで、精米処理などを自動的に行って白米を排出するよう構成されている（特許文献１等）。
【０００３】
このような精米設備などが設けられる建屋は、その設置時に、建屋を支える脚部の高さ調整を行って、建屋が水平かつ安定した状態となるように調整して据えつけている。
従来の建屋の脚部の構造は、例えば図１３、図１４（ａ）、（ｂ）に示すような構成とされている。すなわち、建屋１００の床部（底部）枠体１０１に固着した固着ブロック１０２に、頭部１１１ａとねじ部１１１ｂとを有する位置調整ボルト１１１のねじ部１１１ｂを螺合させている。位置調整ボルト１１１は、そのねじ部１１１ｂが上方に向けられた姿勢で、地面などの設置面（接地面）Ｓに置かれる設置プレート（設置板）１１２の上方に膨らむ膨出部１１２ａに頭部１１１ａが収容された状態で配設されている。また、ねじ部１１１ｂにおける頭部１１１ａ近傍箇所にはナット１１３が螺合された状態で溶接などにより固着されており、このナット１１３が設置プレート１１２の膨出部１１２ａの上に載った状態で配設されている。
【０００４】
そして、高さ調整を行う際には、図１５、図１６に示すように、建屋１００の床部枠体１０１の下方にスパナなどの回転用治具１１５を側方から突っ込んで、回転用治具１１５によりナット１１３を回転させて、位置調整ボルト１１１に対する固着ブロック１０２の上下方向の相対位置を調整することで、固着ブロック１０２が固着されている建屋１００の床部枠体１０１の上下位置を調整している。
【先行技術文献】
【特許文献】
【０００５】
【特許文献１】特開平９−２７６７２０号公報
【発明の概要】
【発明が解決しようとする課題】
【０００６】
しかしながら、上記従来の建屋の脚部高さ調整装置によれば、建屋１００の床部枠体１０１の下方にスパナなどの回転用治具１１５を側方から差し込む必要がある構造であるために、建屋１００の床部枠体１０１が接地面Ｓから必要となる高さｈとして、スパナなどの回転用治具１１５を差し込むための高さｈ１と、膨出部１１２ａや位置調整ボルト１１１の頭部１１１ａをも含めた設置板１１２の高さｈ２とを合わせた寸法が少なくとも必要であった。
【０００７】
したがって、建屋１００の床面１０１ａ（床部枠体１０１の上面部とほぼ同じ高さ）が比較的高い位置とならざるを得ず、建屋１００を低く据え付けることができず、省スペース化を図れないという課題を生じていた。
【０００８】
また、高齢者などの利用者にとっては、建屋１００の床面１０１ａが低くて、地面などの接地面Ｓからの段差が小さい構造が、建屋内に入るときに床面につまずくことが少ないため望ましいが、このような要望に対処できなかった。
【０００９】
さらに、特に建屋が精米設備である場合には、利用者は、数ｋｇから数十ｋｇの被処理米を収容した被処理米の収容袋を両手で抱えながら建屋１００に入ることが多いため、抱えた被処理米の収容袋が利用者の視界を遮り、足元があまり見えない状態で入る場合が多い。したがって、建屋１００の床面１０１ａが低くて、地面などの建屋１００の設置面Ｓからの段差がより小さい構造が、建屋内に入るときに床面につまずくことが少ないため望ましいが、このような要望にも対処できなかった。
【００１０】
本発明は上記課題を解決するもので、建屋の床面の、地面などの接地面からの高さを、小さくすることができる建屋の脚部高さ調整装置を提供することを目的とするものである。
【課題を解決するための手段】
【００１１】
上記課題を解決するために本発明の建屋の脚部高さ調整装置は、建屋を支持する脚部として、建屋の床部に固定された固定部品または床部に対してねじ部で螺合するねじ部材が設けられ、このねじ部材の上面部に、建屋の内部側からねじ部材を回転させる回転用治具に係合可能な係合部が形成されていることを特徴とする。
【００１２】
この構成によれば、建屋の脚部高さを調整する際には、ねじ部材の上面部に形成された係合部を建屋の内部側から臨むことができる状態として、建屋の内部側から回転用治具を係合させて、回転用治具を回転して、ねじ部材に対する固定部品や床部に対する相対的な上下位置を変更することで、高さ調整を行うことができる。すなわち、建屋の床部と地面などの設置面との間に、回転用治具を側方から差し込むための隙間を設けなくても済むため、床面をより低い位置に配設することが可能となる。この結果、建屋を設置する設置面と床面との段差を小さくすることができる。
【００１３】
また、本発明は、建屋の床面に、回転用治具を挿通可能な挿通孔が形成されていることを特徴とする。この構成により、建屋の床部が床面により完全に覆われている場合でも、前記挿通孔を通して回転用治具を係合させることが可能となる。
【００１４】
また、本発明は、ねじ部材の上面部の内周側に回転用治具に係合可能な係合部が形成されていることを特徴とする。この構成により、係合部をねじ部材のねじ部の上面よりも窪ませて形成できるので、係合部を上方に突出させなくても済んで、建屋を設置する設置面と床面との段差をより小さくできる利点がある。また、回転用治具の係合させる箇所を比較的小さく形成できるので、例えば、建屋の床面に回転用治具を挿通可能な挿通孔を形成して、後述するように挿通孔を挿通孔カバーにより覆うように構成した場合に、挿通孔の大きさが小さくて済むとともに挿通孔カバーを比較的小さくでき、挿通孔カバーが利用者の足先などに当接する可能性をより低減できる利点もある。ただし、これらの利点は有しないが、これに代えて、ねじ部材の上面部の外周側に回転用治具に係合可能な係合部を形成することも可能である。
【００１５】
また、本発明は、建屋が被処理米を精米処理する精米設備であることを特徴とする。この構成によれば、建屋を設置する設置面と床面との段差を小さくすることができるので、利用者が被処理米を収容した被処理米収容袋を両手で抱えながら建屋に入るなどして、足元があまり見えない状態で入る場合でも床面につまずくことが少なくなり、安全性が向上する。
【００１６】
また、本発明は、建屋の床面に、前記挿通孔を覆う挿通孔カバーが着脱可能に設けられていることを特徴とする。この構成により、建屋の床面に形成した挿通孔が挿通孔カバーで覆われるため、挿通孔に利用客の靴についていた泥などが侵入することを防止できるとともに、挿通孔が利用客の足先に引っかかってつまずくことなどを最小限に抑えることができる。
【００１７】
なお、脚部のねじ部材としてねじ部と頭部とを有し、ねじ部が上方、頭部が下方に向くように配置し、前記脚部に、建屋が設置される箇所に置かれる設置プレートと、前記ねじ部材のねじ部に固定されて設置プレートに載せられるナットなどのプレート載置部とを設けると好適である。
【発明の効果】
【００１８】
本発明によれば、建屋を支持する脚部として、建屋の床部に固定された固定部品または床部に対してねじ部で螺合するねじ部材を設け、このねじ部材の上面部に、建屋の内部側からねじ部材を回転させる回転用治具に係合可能な係合部を形成することにより、建屋の床面をより低い位置に配設することが可能となって、建屋を設置する設置面と床面との段差を小さくすることができる。この結果、建屋を低く据え付けることができて、省スペース化を図ることができるとともに、高齢者などの利用者にとっても、建屋の床面による接地面からの段差が小さくなって、建屋内に入るときに床面につまずくことが少なくなり、安全性が向上する。
【００１９】
また、ねじ部材の上面部の内周側に回転用治具に係合可能な係合部を形成することで、係合部をねじ部の上面よりも窪ませて形成できるので、係合部を上方に突出させなくても済み、その分だけ、建屋を設置する設置面と床面との段差をより小さくできる利点がある。また、建屋の床面に回転用治具を挿通可能な挿通孔などを形成する場合に、挿通孔の大きさを小さくすることができ、前記挿通孔に利用者の足先が引っかかってつまずく可能性を小さくすることができる。また、挿通孔に挿通孔カバーを設ける場合でも挿通孔カバーの大きさを小さくすることができて、安全性が向上する。
【００２０】
また、本発明の建屋が被処理米を精米処理する精米設備である場合には、建屋を設置する設置面と床面との段差を小さくすることができるので、利用者が被処理米を収容した被処理米収容袋を両手で抱えながら建屋に入るなどして、足元があまり見えない状態で入る場合でも床面につまずくことが少なくなり、特に安全性が向上する。
【図面の簡単な説明】
【００２１】
【図１】本発明の実施の形態に係る精米設備からなる建屋の正面図である。但し、利用客が出入りする出入口扉を省いた状態で示している。
【図２】同建屋の平面図である。
【図３】図２のIII−III線矢視側面図である。
【図４】図２のIV−IV線矢視側面図である。
【図５】同建屋（精米設備）において被処理米を処理する構成を概略的に示す図である。
【図６】同建屋の脚部高さ調整装置が設けられている床面部分を示す拡大平面図である。
【図７】同建屋の脚部高さ調整装置が設けられている箇所（脚部およびその近傍箇所）を示す拡大正面断面図である。
【図８】同建屋の脚部高さ調整装置が設けられている箇所を示す拡大平面図である。
【図９】（ａ）、（ｂ）はそれぞれ同建屋の脚部高さ調整装置が設けられている箇所を示す拡大正面断面図であり、（ａ）は建屋が低くなるように調整した状態を示し、（ｂ）は建屋が高くなるように調整した状態を示す。
【図１０】同建屋の脚部高さ調整装置が設けられている箇所を示す拡大平面図であり、回転用治具で操作している状態を示す。
【図１１】同建屋の脚部高さ調整装置が設けられている箇所を示す拡大正面断面図であり、回転用治具で操作している状態を示す。
【図１２】同建屋の変形例の脚部高さ調整装置が設けられている箇所を示す拡大正面断面図である。
【図１３】従来の精米設備の脚部高さ調整装置（脚部およびその近傍箇所）を示す平面図である。
【図１４】（ａ）および（ｂ）はそれぞれ同従来の脚部高さ調整装置の部分切欠正面図であり、（ａ）は建屋が低くなるように調整した状態を示し、（ｂ）は建屋が高くなるように調整した状態を示す。
【図１５】同従来の脚部高さ調整装置において脚部の高さ調整を行っている状態を示す平面図である。
【図１６】同従来の脚部高さ調整装置において脚部の高さ調整を行っている状態を示す部分切欠正面図である。
【発明を実施するための形態】
【００２２】
以下、本発明の実施の形態に係る建屋としての精米設備を図面に基づき説明する。
図１〜図５に示すように、この精米設備においても、仕切壁１により建屋２の内部が、利用客が自由に出入りできる客室３と、係員や管理人などが出入り可能な機械室４とに仕切られた構造とされている。なお、図１における５Ａは精米済みの白米を収容する白米の収容袋、図２〜図４における５Ｂは玄米などの被処理米を収納する被処理米の収容袋、６は客室３への出入口に配設されている出入口扉、７は係員や管理人などが出入りする管理用扉、２２は被処理米の収容袋５Ｂを載せる載台である。なお、被処理米の収容袋５Ｂを白米の収容袋５Ａとして兼用する場合もある。
【００２３】
機械室４には、被処理米（玄米）が投入される投入部（投入ホッパ）８の本体枠部分、投入ホッパ８内に投入された被処理米を石抜機９側に搬送する張込昇降機１０、投入された被処理米から石などの異物を取り除く石抜機９、石抜機９で異物が取り除かれた被処理米を精米機１１側に搬送する精米昇降機１２、駆動モータ２０により駆動されて実際に精米処理を行う精米機１１、精米機１１で発生した糠を糠回収袋１３側に排出するための糠排出用送風機１４や糠排出用ダクト１５Ａ、１５Ｂ、糠排出用サイクロン１６、精米された白米を溜める白米ホッパ１９などが配設されている。また、機械室４内における精米機１１の略上方箇所に、精米機１１へ供給する被処理米を一時的に溜める精米タンク１７が配置され、さらに、石抜機９の上方に、石抜機９へ供給する被処理米が一時的に溜められるとともにこの被処理米から、わらなどの異物が除去される玄米タンク１８が配設されている。また、この実施の形態では、被処理米が投入される投入部８に臨む空間が、上下に開閉自在の開閉扉２１により開閉されるよう構成され、料金を投入するなどした際に、開閉扉２１が開けられて、投入部８に被処理米を投入可能に構成されている。
【００２４】
また、図１などに示すように、客室３に臨む仕切壁１の略中央箇所（仕切壁１を正面視した場合には精米機１１の下方の箇所）には、精米した被処理米を溜める白米ホッパ１９が配設され、客室３の床面上における白米ホッパ１９の下方近傍箇所には、白米ホッパ１９の開閉シャッタを開閉する足踏み式の踏み台１９ａが配設されている。また、白米ホッパ１９や精米機１１の側方（客室３側から仕切壁１に向かって左側）には、その前面部が客室３に臨むように操作制御盤２５が配設されている。操作制御盤２５の前面部には、精米処理料金としてのコインを投入するコイン投入口２５ａや、精白度（例えば、５ぶ、７ぶ、普通、上白など）を選択する複数の精白度選択ボタン２５ｂなどが設けられている。操作制御盤２５の内部には、コインの投入の検知や精白度選択ボタン２５ｂの選択などに応じて各部分を制御する制御部２６（図２参照）が内蔵されている。
【００２５】
そして、コインなどの貨幣が投入されるとともに何れかの精白度選択ボタン２５ｂが選択されると、張込昇降機１０、石抜機９、精米昇降機１２、精米機１１、糠排出用送風機１４が駆動され、投入部８に投入された被処理米が、張込昇降機１０を介して玄米タンク１８や石抜機９に送られて異物除去動作が行われ、精米昇降機１２により精米機１１に送り出されて精米機１１で精米処理が行われるよう構成されている。精米処理が終了した際には、白米が白米ホッパ１９内に排出されているので、利用者が白米ホッパ１９の下方に白米の収容袋５Ａを置いた状態で、足踏み式の踏み台１９ａを踏んで、白米の収容袋５Ａ内に白米を回収する。
【００２６】
この実施の形態に係る建屋２の床部３０には、建屋２の本体部を支持する脚部４０が、建屋２の床部３０における前端部、中央部、後端部のそれぞれ左右両側に設けられている。
【００２７】
建屋２の床部３０および脚部４０は以下のように構成されている。
図６〜図９に示すように、建屋２の床部３０は、平面視して矩形状および前後方向の中間部に適宜配設された複数の床部（底部）枠体３１の上面に、平面状の床面（床面材）３２が配設された構成とされている。そして、脚部４０に対応する箇所に、ブロック状の固定部品３３が床部（底部）枠体３１より床面３２の下方位置で固定された状態で配設されている。なお、固定部品３３を床部（底部）枠体３１から延びる形状に形成して、固定部品３３を床部枠体３１自体で構成してもよい。
【００２８】
また、脚部４０は、頭部４１ａとねじ部４１ｂとを有し、そのねじ部４１ｂが上方に向けられた姿勢で配設されるねじ部材としての位置調整ボルト４１と、地面などの設置面（接地面）Ｓに置かれ、上方に膨らむ膨出部４２ａを有する設置プレート（設置板）４２と、ねじ部４１ｂにおける頭部４１ａ近傍箇所に螺合された状態で溶接などにより固着され、設置プレート４２の膨出部４２ａに載った状態で配設されるプレート載置部としてのナット４３とから構成されている。そして、ねじ部材としての位置調整ボルト４１のねじ部４１ｂが、床部（底部）枠体３１に固着した固定部品３３に下方から上方に向けて螺合され、位置調整ボルト４１の頭部４１ａは、設置プレート（設置板）４２の上方に膨らむ膨出部４２ａに収容された状態で配設されている。
【００２９】
ここで、特に位置調整ボルト４１の上面部の内周部には、位置調整ボルト４１を回転させる回転用治具４５に係合可能な係合部４１ｃが形成されている。この実施の形態では、回転用治具４５が断面六角形で、側面視略Ｌ字形状のものが用いられており、係合部４１ｃは平面視六角形状に窪んだ形とされているが、係合部の形状は六角形状に限るものではなく、三角形や四角形などの他、互いに回転方向に係合できる形であればよい。
【００３０】
また、平面視して床面３２における位置調整ボルト４１の係合部４１ｃに対応する箇所には、回転用治具４５を挿通可能な挿通孔３４が形成されているとともに、この挿通孔３４には、この挿通孔３４を覆う挿通孔カバー３５が床面３２に対して着脱可能に設けられている。
【００３１】
上記構成において、建屋２の脚部高さを調整する際には、図８、図９（ａ）、（ｂ）に示すように、まず挿通孔３４を覆う挿通孔カバー３５を床面（床面材）３２から取外して、ねじ部材としての位置調整ボルト４１の上面部に形成された係合部４１ｃを建屋２の内部から臨むことができる状態とする。次に、建屋２の内部側から回転用治具４５を係合部４１ｃに係合させて、回転用治具４５を回転して、互いに螺合された位置調整ボルト４１に対する固定部品３３や床部３０に対する相対的な上下位置を変更することで、床部３０ひいては建屋２の高さ調整を行うことができる。
【００３２】
この構成によれば、従来の脚部高さを調整装置（図１５、図１６参照）のように、建屋２の床部３０と地面などの設置面Ｓとの間に、回転用治具１１５を側方から差し込むための隙間ｈ１を設けなくても済むため、床面３２をより低い位置に配設することが可能となる。また、従来の脚部高さを調整装置では、設置プレート４２の膨出部４２ａの寸法高さも必要となって、この隙間ｈ２を前記隙間ｈ１に合わせた隙間ｈが必要であったが、本構成によれば、この隙間ｈを必ずしも要しないため、床面３２をより低い位置に配設することが可能となる。
【００３３】
この結果、建屋２を設置する設置面Ｓと床面３２との段差を極めて小さくすることができる。したがって、建屋を低く据え付けることができて、省スペース化を図ることができるとともに、高齢者などの利用者にとっても、建屋２の床面３２による接地面Ｓからの段差が小さくなって、建屋２内に入るときに床面３２につまずくことが少なくなり、安全性が向上する。また、利用者が被処理米を収容した被処理米の収容袋５Ｂを両手で抱えながら建屋２に入るなどして、足元があまり見えない状態で入る場合でも床面３２につまずくことが少なくなり、安全性が向上する。
【００３４】
ここで、上記構成では、ねじ部材としての位置調整ボルト４１の上面部の内周側に回転用治具４５に係合可能な係合部４１ｃを形成した場合を説明したが、これに代えて、図１２に示すように、位置調整ボルト４１の上面部の外周側に回転用治具４６に係合可能な係合部４１ｆを形成してもよい。例えば、位置調整ボルト４１の上面部の外周側に、平面視正方形など（三角形や六角形など他の形状でもよい）の係合部４１ｆを形成し、回転用治具４６の先端の内周に形成した係合部４６ａを前記位置調整ボルト４１の係合部４１ｆに係合させて回転可能に構成してもよい。
【００３５】
但し、位置調整ボルト４１の上面部の外周側に回転用治具４６に係合可能な係合部４１ｆを形成した場合には、図１２に示すように、位置調整ボルト４１のねじ部４１ｂよりも上方に突出するように係合部４１ｆを形成せざるを得ないので、位置調整ボルト４１の長さ（高さ）も、係合部４１ｆの長さ（高さ）分だけ、大きくならざるを得ず、ひいては、僅かではあるが係合部４１ｆの長さ（高さ）分だけ、建屋２を設置する設置面Ｓと床面３２との段差が大きくなる短所がある。また、回転用治具４６により、位置調整ボルト４１の係合部４１ｆを外周側から係合させるので、回転用治具４６の係合部５３ａが比較的大きく形成せざるを得ない。したがって、例えば、建屋２の床面３２に回転用治具４６を挿通可能な挿通孔３４などを形成する場合には、挿通孔３４の大きさが大きくなり、これに伴って挿通孔カバー３５も比較的大きくなり、僅かではあるが、挿通孔カバー３５が利用者の足先などに当接する可能性が大きくなって好ましくない。
【００３６】
これに対して、上記実施の形態のように、位置調整ボルト４１の上面部の内周側に回転用治具４５に係合可能な係合部４１ｃを形成した場合には、図８、図９などに示すように、係合部４１ｃを位置調整ボルト４１のねじ部４１ｂの上面よりも窪ませて形成できるので、係合部４１ｃを上方に突出させなくても済み、その分だけ、建屋２を設置する設置面Ｓと床面３２との段差をより小さくできる利点がある。また、回転用治具４５により、位置調整ボルト４１の係合部４１ｃを内周側から係合させるので、回転用治具４５の係合させる箇所を比較的小さく形成できる。したがって、例えば、建屋２の床面３２に回転用治具４５を挿通可能な挿通孔３４を形成した場合に、挿通孔３４の大きさが小さくて済み、これに伴って挿通孔カバー３５も比較的小さくでき、僅かではあるが、挿通孔カバー３５が利用者の足先などに当接する可能性をより低減できて、安全性が向上できる。
【００３７】
なお、上記実施の形態では、床面３２を面状に広がるものを用いて、床部３０の上面（床面３２）を完全に覆った場合を述べた。しかし、これに限るものではなく、床部の床面として、その下方部分が室内からが見えるネット状または桟状のもので構成し、ネットや桟の隙間を通してねじ部材としての位置調整ボルトの係合部を臨むことができるよう構成して、室内側から回転用治具を係合可能に構成してもよい。また、上記実施の形態では、ねじ部４１ｂにおける頭部４１ａ近傍箇所に螺合された状態で溶接などにより固着され、設置プレート４２の膨出部４２ａに載った状態で配設されるプレート載置部として、ナット４３が設けられる場合を述べたが、これに限るものではなく、ねじ部４１ｂに固定され、設置プレート４２の膨出部４２ａに載った状態で配設される部材などであればよい。
【００３８】
また、上記の実施の形態では、建屋２が精米設備である場合を述べたが、これに限るものではなく、精米設備以外の建屋２にも上記構成を適用できることは申すまでも無い。
【符号の説明】
【００３９】
１      仕切壁
２      建屋
３      客室
４      機械室
８      投入部
１１    精米機
３０    床部
３１    床部枠体
３２    床面（床面材）
３３    固定部品
３４    挿通孔
３５    挿通孔カバー
４０    脚部
４１    位置調整ボルト（ねじ部材）
４１ａ  頭部
４１ｂ  ねじ部
４１ｃ、４１ｆ    係合部
４２    設置プレート（設置板）
４２ａ  膨出部
４３    ナット
４５、４６    回転用治具
Ｓ      設置面（接地面）
【図１】
2014062423.tif 000003
【図２】
2014062423.tif 000004
【図３】
2014062423.tif 000005
【図４】
2014062423.tif 000006
【図５】
2014062423.tif 000007
【図６】
2014062423.tif 000008
【図７】
2014062423.tif 000009
【図８】
2014062423.tif 000010
【図９】
2014062423.tif 000011
【図１０】
2014062423.tif 000012
【図１１】
2014062423.tif 000013
【図１２】
2014062423.tif 000014
【図１３】
2014062423.tif 000015
【図１４】
2014062423.tif 000016
【図１５】
2014062423.tif 000017
【図１６】
2014062423.tif 000018